(57)【特許請求の範囲】
【請求項１】
所定高さのヒールが一体化した靴底部を備える靴において、
前記靴底部の上部における足指付け根部の下側にあたる所定箇所に埋込配設され、靴底部より柔軟性、衝撃吸収性及び反発性に優れる第一弾性体と、
前記靴底部の上部における踵の下側にあたる所定箇所に埋込配設され、靴底部より柔軟性、衝撃吸収性及び反発性に優れる第二弾性体とを備え、
前記第二弾性体が、前記靴底部及び第一弾性体より反発性の高い弾性材で形成されることを
特徴とする靴。
【請求項２】
前記請求項１に記載の靴において、
前記靴底部及び前記各弾性体の上側に着脱可能に配設される可撓性材料製の中敷と、
当該中敷における足指付け根部の下側にあたる所定箇所の下面側に、一又は複数層着脱可能に貼付配設される可撓性材料製の調整用シートとを備えることを
特徴とする靴。
【請求項３】
前記請求項２に記載の靴において、
前記調整用シートが、表面に自己粘着性を有するシート状の粘弾性体で形成されることを
特徴とする靴。
【請求項４】
前記請求項２又は３に記載の靴において、
前記調整用シートが、それぞれ大きさを異ならせて複数層配設され、大きい調整用シートほど前記中敷により近くなる配置で重ねられ、
前記中敷が、下面側に最大の調整用シートの貼付け位置の表示を付加され、
各調整用シートが、下面略中央に、当該下面に貼付けられる他の調整用シートの貼付け位置の表示をそれぞれ付加されることを
特徴とする靴。
【発明の詳細な説明】
【技術分野】
【０００１】
本発明は、ヒール付の靴に関し、特に、衝撃吸収構造を採用した靴に関する。
【背景技術】
【０００２】
ヒール付きで甲部が浅いパンプス型の靴は、カジュアルからビジネス、フォーマルまで様々な状況で広く使用されている。特にビジネス用途では標準的な靴種として定着し、他種の靴を用いるのに一種の抵抗感が感じられるまでになっていることで、好みに関わりなくこうしたパンプス型の靴を選択せざるを得ない状況に置かれている人も多い。
【０００３】
パンプス型の靴は、そのヒールのある靴底形状から、着地部分が足指付け根部の下側にあたる靴底部所定範囲とヒール先端部とにほぼ限定されており、これらの限定された部分で体重を支えている。そして、歩行時、踏み付け部となる足指付け根部下側の靴底部には瞬間的に体重による大きな荷重が加わる。言換えると、歩行時には足の指付け根部のみで体重を支えている状態が周期的に繰返されることとなる。
【０００４】
また、このパンプス型の靴では、もともと爪先部が細く余裕の少ない形状であり、足指が爪先部の狭い空間に押込まれた状態となることに加え、その前傾した靴底形状により、歩くごとに靴に対し足が前方側にずれやすく、爪先部に押込まれた足指が互いに重なり、歩行に伴って絶えず周囲から締付けられる状態になるなど、歩きやすいとはいえない構造であった。この各足指の重なるような締付けが長期にわたり繰返されることが、外反母趾の原因となることは以前からよく知られた問題である。
【０００５】
加えて、長時間履き続けると、足にむくみが生じてさらに周囲の靴内面から圧迫される状態となり、特に、靴内面に圧迫される指付け根部の側部が痛くなることも多かった。
【０００６】
こうした問題に対し、このパンプス型の靴において、歩きやすさを向上させるべく改良を図ったものが従来から種々提案されており、そうした例として、特開平９−１４０４０９号公報や特開２００６−３４５８８６号公報に開示されるものがある。
【特許文献１】特開平９−１４０４０９号公報
【特許文献２】特開２００６−３４５８８６号公報
【発明の開示】
【発明が解決しようとする課題】
【０００７】
従来のパンプス型の靴は以上のように構成されており、その靴形状に基づき、歩行時には高い頻度で踏み付け部となる指付け根部の下側部分及びヒールで体重を支える状態となることから、足の指付け根部及び踵には歩行時に体重による荷重の反力としての衝撃が繰返し加わるが、従来の靴底部はこうした衝撃に対して考慮された構造となっておらず、衝撃をそのまま足の指付け根部や踵に伝えることとなり、長時間の歩行に伴う衝撃の蓄積で指付け根部や踵に痛みをもたらすという課題を有していた。
【０００８】
この種の靴を利用する人によっては、足に合わない靴の長期にわたる使用等により足における横方向のアーチが消失している場合や、加齢等により足底筋が弱くなっている場合もあり、このような場合には、歩行時の指付け根部に加わる衝撃に対し、足に元々備わる衝撃吸収の機能が失われていることで、さらに歩行時の衝撃の影響が強まり、足の痛む頻度や痛みの大きさが増大するという課題を有していた。
【０００９】
こうした理由によりパンプス型の靴では長時間歩くことが困難であると言わざるを得ないが、このような長時間の歩行が難しいような性質の靴であるにも拘らず、ビジネスシーンで使用する靴としては事実上他に選択できるものが無いため、多くの苦痛を伴いつつの使用が続けられてきており、改善が強く求められていた。
【００１０】
本発明は前記課題を解消するためになされたもので、靴底部の衝撃吸収構造により、歩行に伴って足に加わる衝撃を緩和して足の痛みや疲労を軽減し、歩きやすさを向上させた靴を提供することを目的とする。
【課題を解決するための手段】
【００１１】
本発明に係る靴は、所定高さのヒールが一体化した靴底部を備える靴において、前記靴底部の上部における足指付け根部の下側にあたる所定箇所に埋込配設され、靴底部より柔軟性、衝撃吸収性及び反発性に優れる第一弾性体と、前記靴底部の上部における踵の下側にあたる所定箇所に埋込配設され、靴底部より柔軟性、衝撃吸収性及び反発性に優れる第二弾性体とを備え、前記第二弾性体が、前記靴底部及び第一弾性体より反発性の高い弾性材で形成されるものである。
【００１２】
このように本発明によれば、靴底部上部の足指付け根部下側部位に衝撃吸収性のある第一弾性体を配設すると共に、踵下側部位にも衝撃吸収性のある第二弾性体を配設し、歩行時の体重移動に伴って指付け根部及び踵から加わる衝撃性の荷重を各弾性体で吸収、分散することにより、指付け根部や踵に靴底側から反力としての衝撃力が伝わるのを軽減でき、衝撃による足各部の痛みを緩和して長時間の歩行を経ても痛みや疲労の蓄積を抑えられる。
【００１４】
また、靴底の踵下側部位の第二弾性体が高反発性の弾性材とされ、衝撃を吸収する一方で適度に反発力を生じさせることにより、歩行時に加わった衝撃力を地面への反発力に変換し、歩行時における足踵部の地面に対する蹴り出しを補助することができ、歩行時における足への負担を少なくして長時間歩行に伴う疲労を軽減できる。
【００１５】
また、本発明に係る靴は必要に応じて、前記靴底部及び前記各弾性体の上側に着脱可能に配設される可撓性材料製の中敷と、当該中敷における足指付け根部の下側にあたる所定箇所の下面側に、一又は複数層着脱可能に貼付配設される可撓性材料製の調整用シートとを備えるものである。
【００１６】
このように本発明によれば、中敷とその下側に着脱可能な調整用シートとを配設し、調整用シートの着脱で指付け根部下側部位の中敷高さを変えて靴内のスペースを変化させられることにより、靴内の広さ調整が容易に行え、中敷下側の調整用シートの数を適宜選択して靴内の広さを足や歩行時の様々な状況に応じた最適な状態に調整でき、靴の装着感を快適なものとすることができると共に、靴から足に不要な力が加わりにくく、歩行による疲労の一層の軽減が図れる。
【００１７】
また、本発明に係る靴は必要に応じて、前記調整用シートが、表面に自己粘着性を有するシート状の粘弾性体で形成されるものである。
【００１８】
このように本発明によれば、調整用シートとして粘弾性体を用い、中敷に貼付けて足指付け根部下側に配設することにより、歩行時に足指付け根部下側部位に加わる衝撃性の荷重を、衝撃吸収性能に優れる粘弾性体からなる調整用シートにおいても吸収、分散できることとなり、指付け根部に伝わる衝撃力をさらに軽減して衝撃による痛みを緩和することができ、長時間の歩行が無理なく行える。また、調整用シート表面が自己粘着性を有することで、中敷や他の調整用シートに対し繰返しの着脱も容易に行え、長期にわたり使用できる。
【００１９】
また、本発明に係る靴は必要に応じて、前記調整用シートが、それぞれ大きさを異ならせて複数層配設され、大きい調整用シートほど前記中敷により近くなる配置で重ねられ、前記中敷が、下面側に最大の調整用シートの貼付け位置の表示を付加され、各調整用シートが、下面略中央に、当該下面に貼付けられる他の調整用シートの貼付け位置の表示をそれぞれ付加されるものである。
【００２０】
このように本発明によれば、中敷及び調整用シートに、下側に貼付けられる調整用シートの貼付け位置を表示し、重なり合う調整用シートの配置の中心を足指付け根部の直下に位置させることにより、調整用シートを一旦外した後再度中敷に貼付ける場合も正しい位置に貼付けることができ、調整用シート着脱による靴内サイズの調整を適切に行えると共に、調整用シートの衝撃吸収性能を確実に発揮させられる。また、足指付け根部の下側に位置する第一弾性体の中心と調整用シートの重なりで下方に盛上がる部分とが一致するため、調整用シートと第一弾性体とが相補的に変形する状態となり、不自然な段差が生じにくく、違和感のない優れた装着感が得られる。
【発明を実施するための最良の形態】
【００２１】
以下、本発明の一実施形態を図１ないし図７に基づいて説明する。本実施形態においては、所定高さのヒールを有するパンプス型の靴に適用した例について説明する。図１は本実施形態に係る靴の側面図、図２は本実施形態に係る靴における靴底部の概略断面図、図３は本実施形態に係る靴における靴底部の平面図、図４は本実施形態に係る靴における中敷と調整用シートの分解状態斜視図、図５は本実施形態に係る靴における中敷の底面図、図６は本実施形態に係る靴における中敷の各調整用シート取外し状態説明図、図７は本実施形態に係る靴における第二弾性体の蹴り出し補助状態説明図である。
【００２２】
前記各図において本実施形態に係る靴１は、靴底部１０における足指付け根部５０の下側にあたる部位に第一弾性体１１を配設すると共に、踵の下側にあたる部位には第二弾性体１２を配設し、さらに靴底部１０と前記各弾性体１１、１２の上側に、調整用シート２３を貼付けた中敷２０を重ねて配設した構成である。
【００２３】
前記靴底部１０は、靴において地面に面する本底と、靴底における芯となる中底、及び所定高さのヒールが一体成形されたものであり、外周に甲皮部３０が取付けられてパンプス型の靴１として一体化されることとなる。この靴底部１０は、靴形状を維持しつつ歩行時の足の動きに対応して屈曲可能な一定の可撓性を有する硬質弾性材、例えば合成ゴムやウレタン樹脂等で形成され、上部における足の指付け根部５０の下側にあたる所定箇所及び踵の下側にあたる所定箇所にそれぞれ凹部を穿設され、指付け根部側の凹部には靴底部１０より軟らかい第一弾性体１１を一体に埋込まれる一方、踵側の凹部には、同じく軟質の第二弾性体１２を一体に埋込まれて配設される構成である。この靴底部１０と各弾性体１１、１２の上面には、これらをまとめて覆う薄い可撓性材製の上面シート１３が貼付けられる。また、靴底部１０の地面に接する部分は、滑り止め性のあるゴム等の材質からなる防滑シート１４が貼付けられる。
【００２４】
前記第一弾性体１１は、衝撃吸収性のあるスポンジ材、例えば、エチレンプロピレンゴムの発泡体であり、その厚さは好ましくは９ｍｍである。衝撃吸収性を付与するために、発泡率を低くしたものとなっている。
【００２５】
前記第二弾性体１２は、衝撃吸収性及び高反発性のあるスポンジ材、例えば、エチレンプロピレンゴムの発泡体であり、衝撃吸収性と高反発性をバランス良く付与するために、弾力性及び厚さを第一弾性体１２より大としたものである。この第二弾性体１２を第一弾性体１１と同じ発泡体材料で製造する場合は、その発泡率を第一弾性体１１より高くすることで、弾力性を大きくして弾性変形しやすくすることができる。
【００２６】
これら第一弾性体１１と第二弾性体１２が靴底部１０上部に配置され、歩行時に足が着地する際の衝撃を吸収することで、歩行の際に痛みを感じることが無くなり、長時間の歩行を経ても痛みや疲労の蓄積が無い。また、衝撃を吸収する一方で、特に踵側の第二弾性体１２では、蹴り出しにより足が地面から離れる際には地面に対する反発力を生じさせて歩行に係る力を補助することができ、歩行の際の疲労をより一層軽減することとなる。そして、硬質の靴底部１０の凹部に埋め込んで靴底部１０と上面をほぼ連続させる状態で各弾性体１１、１２を配設することにより、衝撃吸収性能を発揮させつつ、各弾性体１１、１２の配設に伴う違和感を少なくすることができる。
【００２７】
なお、第一弾性体１１及び第二弾性体１２は、靴底部１０の材質に対しより軟質とされ、その硬さとしては、ゴム・プラスチック硬さとしてＪＩＳ Ｋ ６２５３に規定されるデュロメータ硬さ試験（タイプＥ）の測定値として得られる硬度が２０程度となるのが好ましい。
【００２８】
前記中敷２０は、中敷本体２１と弾性体シート２２とを一体化されて形成される構成であり、足指付け根部５０の下側にあたる部位の下面側には、二枚の調整用シート２３、２４が着脱可能に貼付配設される。この調整用シート２３、２４を貼付けられた状態で、中敷２０は靴底部１０と各弾性体１１、１２の上面に沿って載置されて、靴内に着脱自在に配設される仕組みである。
【００２９】
前記調整用シート２３、２４は、衝撃吸収性のある粘弾性体としてのゲル状素材で形成され、表面に所定の粘着性を有して中敷２０の靴底部１０寄りとなる下面側に大小二枚が重ねて貼付けられて配設される構成である。各調整用シート２３、２４は、いずれも表面が自己粘着性を有しており、複数回の貼り剥がしや汚れた際の水洗いを経ても粘着性を失わず、容易に貼付けが行えるものである。小さい方の調整用シート２４は、大きい方の調整用シート２３に対し足長方向の長さ寸法を小さくして形成され、これら調整用シート２３、２４は、大きい方の調整用シート２３を中敷２０寄り、小さい方の調整用シート２４を靴底部１０寄りとして重ね合わせて中敷２０に貼付けられ、中敷２０と一体で靴に対し着脱される。
【００３０】
調整用シート２３、２４は、中敷２０から遠い小さい方の調整用シート２４を外して、大きい方の調整用シート２３のみ貼付けた中敷２０を靴内に配設した状態で、靴内足囲寸法が、靴のサイズ規格で定められた所定サイズにおける靴内足囲寸法にちょうど一致する寸法関係として形成される。
【００３１】
これにより、靴１の靴内足囲寸法は、全ての調整用シート２３、２４を貼付けた中敷２０を靴内に配設した状態では、前記所定サイズにおける靴内足囲寸法より小さくなり、また、全ての調整用シート２３、２４を外した中敷２０を靴内に配設した状態では、前記所定サイズにおける靴内足囲寸法より大きくなる。
【００３２】
こうして靴内の広さは、中敷２０への調整用シート２３、２４の二枚貼付け時に規格サイズより少し狭い状態、大きい方の調整用シート２３のみ中敷２０に貼付けた一枚貼付け時で規格サイズに一致する状態、また、調整用シート２３、２４を全て外した中敷２０のみ配置の場合に規格サイズより広い状態がそれぞれ得られることとなる。
【００３３】
中敷２０の下面側に位置する弾性体シート２２は、中敷本体２１と略同じ大きさのスポンジ材であり、弾性変形に伴う一定の衝撃吸収性能を有すると共に、中敷本体２１と調整用シート２３との間に介在することで、調整用シート２３、２４の配設に伴って生じる段差による違和感を緩和することができる。この弾性体シート２２には、足指付け根部５０下側にあたる調整用シート２３の貼付け位置が線等のマーキングによって表示される（図６（Ｂ）参照）。また、調整用シート２３にも、その下側中央部に貼付けられる小さい調整用シート２４の貼付け位置が線等のマーキングによって表示される（図６（Ａ）参照）。表示に従って正しく重ね合せた調整用シート２３、２４の配置の中心は指付け根部５０の直下に位置することとなる。
【００３４】
なお、調整用シート２３、２４の配設状態で、中敷２０の指付け根部５０下側にあたる部位が調整用シート２３、２４の厚みで不自然に盛上がった状態とならないよう、指付け根部５０の下側にあたる靴底部１０や第一弾性体１１の上面部分を、調整用シートに対応して下方に浅く凹んだ曲面状に形成する構成とすることもできる。
【００３５】
次に、前記構成に基づく靴の使用状態について説明する。あらかじめ二枚の調整用シート２３、２４を貼付けられた中敷２０を靴内に配設した状態で、使用者が靴を履くと、足の指付け根部５０が中敷２０を介して衝撃吸収性のある第一弾性体１１の上側に位置すると共に、踵も中敷２０を介して第二弾性体１２の上側に位置した状態となる。
【００３６】
こうして靴１を履いた状態では、歩行時に指付け根部５０から靴底部１０側に加わる体重に基づく荷重が第一弾性体１１で吸収され、靴底各部に分散することで、足側に加わる反力としての衝撃力が緩和され、足における指付け根部５０の痛みが軽減される。また、踵においては、踵からの荷重が第二弾性体１２に加わることとなり、衝撃を吸収すると共に、衝撃力を変換した反発力を地面に与えることとなり、踵の地面に対する蹴り出しを補助する状態となる。
【００３７】
足の着地時の衝撃は、中敷２０下側に配設されたゲル状素材製の調整用シート２３、２４においても、その粘弾性に伴う衝撃吸収機能により吸収でき、足の指付け根部５０に痛みを感じることはほとんど無い。
【００３８】
靴１を履いた際に足入れ状態が窮屈な場合には、一旦中敷２０を取出し、中敷２０下面側に貼付けて配設された調整用シート２３、２４のうち、まず中敷２０から遠い小さい方の調整用シート２４を外して、当初の規格サイズより靴内が若干狭くなっている状態から調整用シート２４一枚分だけ靴内のスペースを広げる。この小さい調整用シート２４が外された中敷２０を装着した状態では、靴内は規格サイズに合った広さとなる。
【００３９】
この状態でもまだ靴内が窮屈な場合は、残りの調整用シート２３を中敷２０から外して、さらに調整用シート２３分だけ靴内のスペースを広げる。この調整用シート２３を全て外した中敷２０を装着した状態では、靴内は規格サイズより広いスペースが確保される。
【００４０】
一方、靴内を元のサイズに戻す場合は、中敷２０の下面に調整用シート２３の貼付け位置が、また、調整用シート２３の下面に小さい方の調整用シート２４の貼付け位置が、それぞれ線等のマーキングによって表示されているため、中敷２０を靴から取出し、外されていた調整用シート２３、２４を、マーキングで示される調整用シート貼付け位置に貼付け、中敷２０を靴内に再び装着すればよい。各調整用シート２３、２４は表面の自己粘着性により、複数回の着脱を経た後でも適切な箇所に貼付けることができる。
【００４１】
このように、本実施形態に係る靴は、靴底部１０上部の足指付け根部５０下側部位に衝撃吸収性のある第一弾性体１１を配設すると共に、踵下側部位にも衝撃吸収性のある第二弾性体１２を配設し、歩行時の体重移動に伴って指付け根部及び踵から加わる衝撃性の荷重を各弾性体１１、１２で吸収、分散することから、指付け根部５０や踵に靴底側から反力としての衝撃力が伝わるのを軽減でき、衝撃による足各部の痛みを緩和して長時間の歩行を経ても痛みや疲労の蓄積を抑えられる。また、第二弾性体１２は高反発性も備え、衝撃を吸収する一方で適度に反発力を生じさせることから、歩行時に加わった衝撃力を地面への反発力に変換し、歩行時における足踵部の地面に対する蹴り出しを補助することができ、歩行時における足への負担を少なくして長時間歩行に伴う疲労を軽減できる。
【００４２】
なお、前記実施形態に係る靴において、靴底部１０上側に設けられる中敷２０は、調整用シート２３、２４を貼付けられる以外は中敷本体２１と弾性体シート２２の一体化した一枚のシート状体のみで構成されるが、これに限らず、中敷２０に別体の小さなシート状の部分中敷体を、例えば土踏まずや踵等に部分的に貼付けて細かい調整に用いる構成とすることもでき、部分中敷体を中敷各部に局所的に設けることで、人によってそれぞれ異なる足の形に合わせた最適な形状を得ることができ、靴の装着感をより優れたものにできると共に、靴に対し足がずれにくく足位置を適切な位置に保持でき、歩行による疲労の軽減が図れる。また、靴１を履いた際に足入れ状態が窮屈な場合には、中敷２０下面側に貼付配設された調整用シート２３、２４の着脱による調整と共に、部分中敷体を着脱することで、靴内スペースの調整をより細かく行うことができる。
【００４３】
また、前記実施形態に係る靴において、中敷２０はシート状に形成される構成としているが、これに限らず、中敷をフットベッドとして上面側についてはより足裏の形状に沿った立体的な形状とすることもでき、靴の装着感をさらに向上させることができる。
【図面の簡単な説明】
【００４４】
【図１】本発明の一実施形態に係る靴の側面図である。
【図２】本発明の一実施形態に係る靴における靴底部の概略断面図である。
【図３】本発明の一実施形態に係る靴における靴底部の平面図である。
【図４】本発明の一実施形態に係る靴における中敷と調整用シートの分解状態斜視図である。
【図５】本発明の一実施形態に係る靴における中敷の底面図である。
【図６】本発明の一実施形態に係る靴における中敷の各調整用シート取外し状態説明図である。
【図７】本発明の一実施形態に係る靴における第二弾性体の蹴り出し補助状態説明図である。
【符号の説明】
【００４５】
１                  靴
１０                靴底部
１１                第一弾性体
１２                第二弾性体
１３                上面シート
１４                防滑シート
２０                中敷
２１                中敷本体
２２                弾性体シート
２３、２４          調整用シート
３０                甲皮部
５０                指付け根部
【図１】
0005283062.tif 000002
【図２】
0005283062.tif 000003
【図３】
0005283062.tif 000004
【図４】
0005283062.tif 000005
【図５】
0005283062.tif 000006
【図６】
0005283062.tif 000007
【図７】
0005283062.tif 000008